(57)【要約】【課題】設置場所の変更が容易で場所に合わせて使い分けできるとともに、形状を容易に変えることができる猫用遊具を提供する。【解決手段】床面に載置される支持部２と、支持部２に支持され猫が出入り自在に構成された箱形のハウス部３と、を備えた遊具体１１、１２を有し、遊具体１１、１２のそれぞれのハウス部３の１つの側面には、猫の出入口３０が形成され、これら出入口３０が相対向するように各遊具体１１、１２を設置し、各出入口３０を連結部材６を介して連結した連結使用態様と、連結部材６を取り外して、２つの遊具体１１、１２をそれぞれ分離して設置した分離使用態様とを選択可能に構成されている。【選択図】  図１
2006211919.tif 000002
【特許請求の範囲】
【請求項１】
床面に載置される支持部と、支持部に支持され猫が出入り自在に構成された箱形のハウス部と、を備えた遊具体を２つ有し、
前記２つの遊具体のそれぞれのハウス部の１つの側面には、猫の出入口が形成され、
これら出入口が相対向するように各遊具体を設置し、各出入口を連結部材を介して連結した連結使用態様と、
前記連結部材を取り外して、２つの遊具体をそれぞれ分離して設置した分離使用態様とを選択可能に構成されたことを特徴とする猫用遊具。
【請求項２】
前記ハウス部は、四角形状の底板および天板と、底板および天板の４隅にそれぞれ取り付けられて底板と天板とを連結する４本の支柱とを備え、
隣り合う各支柱のうちの一組の支柱間には猫の出入口が形成された側壁板が取り付けられるとともに、その他の支柱間は壁面カバーで被覆され、
前記いずれか一方の遊具体のハウス部の天板に、猫が滞在および飛び移り自在な棚板が取付支柱を介して取り付けられ、
棚板またはハウス部の底板には、梯子部が着脱自在に取り付けられることを特徴とする請求項１記載の猫用遊具。
【発明の詳細な説明】
【技術分野】
【０００１】
本発明は、猫用遊具に関する。
【背景技術】
【０００２】
従来から、猫用の遊具として、例えば支柱を床面と天井との間に突っ張るようにして固定し、この支柱に複数の棚板を取り付けて、猫がこれらの棚板間を飛び移ることにより、垂直方向に登り降りして遊んだり運動不足を解消するように構成されたものが一般的に提供されていた。
【０００３】
このような猫用遊具においては、棚板が支柱に固定されており、設置後に形状を変えることができず、設置場所を変更する場合は、支柱が突っ張っている状態を解除して、新たな設置場所に支柱を突っ張るようにしなければならず、煩雑であった。さらに、猫はポールに沿って垂直方向に登り降りしなければならないため、登り降りし難く、肥満気味の猫にあっては登り降りできないといった問題があった。
【０００４】
このため、垂直方向に延びる支柱を複数備え、この支柱が水平方向に延びる棚板で連結され、棚板が支柱に回動可能に接続されている猫用遊具が提案されている（例えば、特許文献１参照。）。
【０００５】
この猫用遊具によれば、棚板を回動することで形状を変えたり、棚板を階段状に設けることで猫が斜め方向に登り降りできるようにすることが可能である。
【特許文献１】特開２００２−３１５４６５号公報
【発明の開示】
【発明が解決しようとする課題】
【０００６】
しかしながら、上記した特許文献１に記載の猫用遊具では、床面と天井との間に支柱を突っ張るようにして固定されているので、猫用遊具の設置場所を変更するのは依然として困難である。
【０００７】
また、形状を変えるといっても、棚板を回動するにとどまり、形状を大きく変化させることはできないので、猫が飽きてしまうといった問題点があった。
【０００８】
本発明は、このような事情に鑑み創案されたもので、設置場所の変更が容易で場所に合わせて使い分けできるとともに、形状を容易に変えることができる猫用遊具を提供するものである。
【課題を解決するための手段】
【０００９】
上記の目的を達成するため、本発明に係る猫用遊具は、床面に載置される支持部と、支持部に支持され猫が出入り自在に構成された箱形のハウス部と、を備えた遊具体を２つ有し、前記２つの遊具体のそれぞれのハウス部の１つの側面には、猫の出入口が形成され、これら出入口が相対向するように各遊具体を設置し、各出入口を連結部材を介して連結した連結使用態様と、前記連結部材を取り外して、２つの遊具体をそれぞれ分離して設置した分離使用態様とを選択可能に構成されたことを特徴とする。
【００１０】
この発明によれば、支持部を床面に載置するだけで設置することができるので、猫用遊具の設置場所を容易に変更することができる。
【００１１】
また、連結使用態様と分離使用態様とを選択できるので、設置場所に応じて使い分けることができる。
【００１２】
さらに、連結使用態様においては、猫が２つの遊具体のハウス部間を連結部材を介して自由に行き来できる。一方、分離使用態様においては、１つの遊具体のみを使用したり、設置場所に合わせて、一対の遊具体をそれぞれ所望の位置に設置することができる。したがって、形状を適宜変えることにより、猫が飽きるのを防止することができる。
【００１３】
本発明は、前記ハウス部は、四角形状の底板および天板と、底板および天板の４隅にそれぞれ取り付けられて底板と天板とを連結する４本の支柱とを備え、隣り合う各支柱のうちの一組の支柱間には猫の出入口が形成された側壁板が取り付けられるとともに、その他の支柱間は壁面カバーで被覆され、前記いずれか一方の遊具体のハウス部の天板に、猫が滞在および飛び移り自在な棚板が取付支柱を介して取り付けられ、棚板またはハウス部の底板には、梯子部が着脱自在に取り付けられることを特徴とする。
【００１４】
この発明によれば、簡単な構造でハウス部を形成することができるので、軽量で、かつコストの低減を図ることができる。
【００１５】
また、棚板が取り付けられているので、猫が自由に棚板とハウス部の天板との間を移動できるので、遊び方のバリエーションが広がり飽きにくい。
【００１６】
さらに、梯子部が棚板またはハウス部の底板に着脱自在に取り付けられるので、梯子部の取付位置を適宜変えることができる。例えば、連結使用態様において梯子部を棚板と対向するハウス部の天板に架設したり、分離使用態様において梯子部をハウス部の底板と床面との間に架設したりすることができるので、猫が梯子部を介して棚板とハウス部との間、またはハウス部と床面との間を登り降りすることができる。したがって、登り降りが容易であるとともに、梯子部を登ったり、飛び移ることにより猫が移動できるので、遊び方のバリエーションが豊富で飽きにくい。
【発明の効果】
【００１７】
本発明に係る猫用遊具によれば、設置場所の変更が容易で場所に合わせて使い分けできるとともに、形状を容易に変えることができる。
【発明を実施するための最良の形態】
【００１８】
以下、本発明の実施の形態について、図を参照して説明する。
【００１９】
図１には、本実施形態の猫用遊具１の全体が示されており、（ａ）は連結使用態様、（ｂ）は分離使用態様を示している。
【００２０】
この猫用遊具１は、第１遊具体１１および第２遊具体１２を備えており、各遊具体１１，１２を連結し得る連結部材６と、着脱自在に取り付けられる梯子部７とを有している。
【００２１】
第１遊具体１１は、床面に載置される支持部２と、支持部２に支持されるハウス部３と、取付支柱５を介して取り付けられた棚板４とからなっている。
【００２２】
一方、第２遊具体１２は、床面に載置される支持部２と、支持部２に支持されるハウス部３とからなっている。
【００２３】
なお、第１遊具体１１と第２遊具体１２とは、支持部２と、天板３２を除くハウス部３との構成が同一であるので、同一構成のものについては同一の符号を付している。
【００２４】
支持部２は、四角形状の薄板の台座板２１と、この台座板２１に立設される３本の支持柱２２とからなっている。台座板２１の床に接する側の面には、図示しない滑り止め部材が設けられている。
【００２５】
支持柱２２は、円柱形状をなしており、外周面には麻紐ａが巻回されており、猫が爪とぎをすることができるように図られている。
【００２６】
なお、支持柱２２は、３本に限定されるものではないが、３本であれば、ハウス部３を好適に支持することができるとともに、コストの削減にも寄与するので望ましい。また、支持柱２２は、紙管で構成すると軽量になることから望ましいが、紙管に限らず、例えば木製であってもよい。
【００２７】
ハウス部３は、図１および図２に示すように、四角形状の底板３１および天板３２と、底板３１および天板３２の４隅にそれぞれ取り付けられて底板３１と天板３２とを連結する４本の支柱３５とを備え、隣り合う各支柱３５のうちの一組の支柱３５間には猫の出入口３０が形成された側壁板３３が取り付けられるとともに、その他の支柱３５間は壁面カバー３４で被覆されてなっている。
【００２８】
底板３１は、四隅に支柱３５を取り付けるためのネジ孔３１ｘ、および支持柱２２を取り付けるためのネジ孔３１ｙが穿孔された四角形状の薄板で形成されている。また、円形の厚手布地で形成されたクッションＡが取り付けられており、猫が快適に休むことができるように図られている。さらに、底板３１の一つの辺の近傍には、この辺と平行な長孔３１０が形成されており、後述する梯子部７を取り付けることができるようになされている。
【００２９】
天板３２も、四隅に支柱３５を取り付けるためのネジ孔３２ｘが穿孔された四角形状の薄板で形成されている。また、第１遊具体１１の天板３２ａには、後述する取付支柱５を取り付けるためのネジ孔３２ｙが穿孔されている。一方、第２遊具体１２の天板３２には、円形の厚手布地で形成されたクッションＢが取り付けられており、猫が快適に休むことができるように図られている。
【００３０】
側壁板３３は、四角形状の薄板で形成されており、円形の出入口３０が開口されている。また、側壁板３３の出入口３０の左右の近傍には、連結部材６を取り付けるためのネジ孔３３ｘが穿孔されている。
【００３１】
なお、底板３１、天板３２、および側壁板３３は、例えば、ＭＤＦボードのような合板の薄板で形成されているが、素材はＭＤＦボードに限定されるものではない。
【００３２】
支柱３５は、円柱形状をなしており、両端に天板３２および底板３１に螺着するためのネジ孔３５ｘが穿孔されている。また、４本の支柱３５のうち、側壁板３３の両側に位置する支柱３５ａには、側壁板３３を嵌め込んで固定するための嵌合溝３５０が形成されている。
【００３３】
なお、支柱３５は、紙管で構成すると軽量になることから望ましいが、紙管に限らず、例えば木製であってもよい。
【００３４】
壁面カバー３４は、図３に示すように横長の布地で構成されており、一方の端部の上部と下部には、伸縮性を有する部材で形成された細幅の取付バンド３４ａ，３４ｂがそれぞれ縫着されている。また、他方の端部の下部には、面ファスナー３４ｙが縫着されている。取付バンド３４ａ，３４ｂのうち、上部に取り付けられた取付バンド３４ａの先端は、壁面カバー３４の他方の端部の上部に縫着されている。一方、下部に取り付けられた取付バンド３４ｂの先端には、面ファスナー３４ｘが縫着されており、壁面カバー３４の面ファスナー３４ｙと係合するようになされている
また、壁面カバー３４には、猫が外を覗いたり、出入りも可能な窓３４０が開口されている。
【００３５】
なお、壁面カバー３４のハウス部３の底板３１の長孔３１０に対応する部分には、梯子部７を取り付ける際の便宜のための切欠３４１が形成されている。
【００３６】
棚板４は、第１遊具体１１の天板３２ａに取付支柱５を介して取り付けられる薄板であって、図４に示すように、梯子部７を着脱自在に取り付ける長孔４０が一端部の近傍に形成されている。また中央部に取付支柱５を取り付けるためのネジ孔４ｘが穿孔されている。
【００３７】
また、棚板４には、円形の厚手生地で形成されたクッションＣが取り付けられており、猫が快適に休むことができるように図られている。
【００３８】
取付支柱５は、円柱形状をなしており、両端に天板３２ａおよび棚板４に螺着するためのネジ孔５ｘが穿孔されている。
【００３９】
なお、取付支柱５の外周面には麻紐ａが巻回されており、猫が爪とぎをすることができるように図られている。また、取付支柱５は、紙管で構成すると軽量になることから望ましいが、紙管に限らず、例えば木製であってもよい。
【００４０】
連結部材６は、図５に示すように、２本の固定棒６１，６２と、これら固定棒６１，６２に架け渡される布地で形成されたハンモック６３で構成されている。２本の固定棒６１，６２は、第１遊具体１１のハウス部３の側壁板３３と第２遊具体１２のハウス部３の側壁板３３との間に取り付けるためのネジ孔６ｘが穿孔されている。
【００４１】
梯子部７は、図６に示すように、長方形状の薄板で形成されており、表面に滑り止めおよび爪とぎとして使用可能な大きな摩擦抵抗を有する敷布７１が敷設されている。また、梯子部７の一端部には、梯子固定部材８を挿通して棚板４またはハウス部３の底板３１に取り付けるための長孔７０が形成されている。この梯子固定部材８は、両端に互いに係合するスナップボタン８ｘ，８ｙが設けられた布地で構成されており、梯子部７の長孔７０と棚板４の長孔４０またはハウス部３の底板３１の長孔３１０に挿通してスナップボタン８ｘ，８ｙを係合することで梯子部７を棚板４またはハウス部３の底板３１に取り付けるようになされている。
【００４２】
次に、上記構成の猫用遊具１の組立て方法および使用方法について、図７を参照しながら説明する。
【００４３】
はじめに、第１遊具体１１の組立て方法について説明する。
【００４４】
まず、台座板２１に支持柱２２を取り付けることにより支持部２を組み立てる。
【００４５】
次いで、支持柱２２とハウス部３の底板３１のネジ孔３１ｙとをネジで螺着することにより底板３１を支持部２に取り付ける（図７（ａ）参照）。
【００４６】
続いて、ハウス部３の底板３１のネジ孔３１ｘと各支柱３５のネジ孔３５ｘとをネジで螺着することにより、ハウス部３の側壁板３３の両側に支柱３５ａを嵌め込んで接着固定したものを底板３１に取り付ける（図７（ｂ）参照）。その後、残りの２本の支柱３５も底板３１に取り付ける（図７（ｃ）参照）。
【００４７】
次に、各支柱３５のネジ孔３５ｘと天板３２ａのネジ孔３２ｘとをネジで螺着することにより、天板３２ａを各支柱３５に取り付ける（図７（ｄ）参照）。
【００４８】
その次に、天板３２のネジ孔３２ｙと取付支柱５のネジ孔５ｘとをネジで螺着することにより、取付支柱５を天板３２に取り付ける。その後、取付支柱５のネジ孔５ｘと棚板４のネジ孔４ｘとをネジで螺着することにより、棚板４を取付支柱５に取り付ける（図７（ｅ）参照）。
【００４９】
第２遊具体１２は、上記した第１遊具体１１の組立て手順と同様であり、ハウス部３の天板３２としてクッション付き天板３２ｂを用いる点、および棚板４・取付支柱５を用いない点が相違している。
【００５０】
このようにして、第１遊具体１１と第２遊具体１２とを組み立てた後、これら第１遊具体１１と第２遊具体１２との各出入口３０が相対向するように各遊具体１１，１２を設置し、連結部材６の固定棒６１，６２のネジ孔６ｘと各側壁板３３のネジ孔３３ｘとをネジで螺着することにより、連結部材６を側壁板３３に取り付ける（図７（ｆ）参照）。
【００５１】
その後、ハウス部３の壁面カバー３４を被せて、ハウス部３を覆う。この場合、下側の取付バンド３４ｂの面ファスナー３４ｘは外しておき、ハウス部３の上側から壁面カバー３４を被せて、連結部材６の下側で下側の取付バンド３４ｂの面ファスナー３４ｘを対応する面ファスナー３４ｙと係合する（図７（ｇ）参照）。
【００５２】
そして、梯子部７を第１遊具体１１の棚板４に取り付け、第２遊具体１２の天板３２ｂとの間に架設する（図７（ｈ）参照）。梯子部７を取り付ける際は、梯子固定部材８を梯子部７の長孔７０と棚板４の長孔４０に挿通し、スナップボタン８ｘ，８ｙを係合することによる。
【００５３】
なお、梯子部７は、棚板４に取り付けるほか、第１遊具体１１または第２遊具体１２の各ハウス部３の底板３１の長孔３１０に取り付けることもできる。
【００５４】
以上説明した連結使用態様では、猫は、ハウス部３の中に留まったり、第１遊具体１１と第２遊具体１２との間を連結部材６を介して自由に行き来することができる。また、連結部材６がハンモック６３で形成されているので、ハンモック６３の上で休むこともできる。さらに、梯子部７を登って棚板４に移動することもでき、棚板４の上で休むこともできる。
【００５５】
以上、連結使用態様における組立て方法および使用方法について説明したが、第１および第２の２つの遊具体１１，１２をそれぞれ分離して設置する分離使用態様で使用する場合は、連結部材６の固定棒６１，６２を第１および第２遊具体１１，１２の各ハウス部３の側壁板３３から取り外し、第１遊具体１１と第２遊具体１２とを分離する。
【００５６】
次いで、梯子部７を棚板４から取り外し、第２遊具体１２のハウス部の底板３１の長孔３１０および梯子部７の長孔７０に梯子固定部材８を挿通し、スナップボタン８ｘ，８ｙを係合して梯子部７を取り付ける。
【００５７】
この分離使用態様では、所望の場所に各遊具体１１，１２を設置することができる。
【産業上の利用可能性】
【００５８】
本発明は、設置場所の変更が容易で場所に合わせて使い分けできるとともに、形状を容易に変えることができる猫用遊具に適用できる。
【図面の簡単な説明】
【００５９】
【図１】本発明に係る猫用遊具の全体を示す斜視図である。
【図２】図１の猫用遊具のハウス部を構成する部材を示す斜視図である。
【図３】図１の猫用遊具の壁面カバーを示す平面図である。
【図４】図１の猫用遊具の棚板を示す斜視図である。
【図５】図１の猫用遊具の連結部材を示す斜視図である。
【図６】図１の猫用遊具の梯子部を示す斜視図である。
【図７（ａ）】本発明の猫用遊具の組立て方法を示す斜視図である。
【図７（ｂ）】本発明の猫用遊具の組立て方法を示す斜視図である。
【図７（ｃ）】本発明の猫用遊具の組立て方法を示す斜視図である。
【図７（ｄ）】本発明の猫用遊具の組立て方法を示す斜視図である。
【図７（ｅ）】本発明の猫用遊具の組立て方法を示す斜視図である。
【図７（ｆ）】本発明の猫用遊具の組立て方法を示す斜視図である。
【図７（ｇ）】本発明の猫用遊具の組立て方法を示す斜視図である。
【図７（ｈ）】本発明の猫用遊具の組立て方法を示す斜視図である。
【符号の説明】
【００６０】
１      猫用遊具
１１    第１遊具体
１２    第２遊具体
２      支持部
３      ハウス部
３１    底板
３２    天板
３３    側壁板
３４    壁面カバー
４      棚板
５      取付支柱
６      連結部材
７      梯子部
【図１】
2006211919.tif 000003
【図２】
2006211919.tif 000004
【図３】
2006211919.tif 000005
【図４】
2006211919.tif 000006
【図５】
2006211919.tif 000007
【図６】
2006211919.tif 000008
【図７（ａ）】
2006211919.tif 000009
【図７（ｂ）】
2006211919.tif 000010
【図７（ｃ）】
2006211919.tif 000011
【図７（ｄ）】
2006211919.tif 000012
【図７（ｅ）】
2006211919.tif 000013
【図７（ｆ）】
2006211919.tif 000014
【図７（ｇ）】
2006211919.tif 000015
【図７（ｈ）】
2006211919.tif 000016